(57)【要約】【課題】不特定の着信音を出力可能な携帯端末装置を提供する。【解決手段】着信音設定部４０は、設定データ２４の種類情報にラジオ放送が設定されており（ステップＳ２０２：ＹＥＳ）、かつ、設定データ２４の周波数情報から着信音として設定されたラジオ放送の信号の周波数を検出し、この周波数の信号の強度が所定値以上の場合（ステップＳ２０３：ＹＥＳ）、その周波数の信号をスピーカ５０から出力させる（ステップＳ２０４）。【選択図】  図２
2005287014.tif 000002
【特許請求の範囲】
【請求項１】
基地局との間で無線回線を通じて各種信号の送受信を行うことにより他の装置との通信を行う携帯端末装置において、
前記基地局を介して他の装置からの着信を検出する着信検出手段と、
音声信号を含む放送信号を受信する放送受信手段と、
前記音声信号を変換して音声を出力するスピーカと、
前記着信検出手段により前記他の装置からの着信を検出すると、前記放送信号に基づく音声を前記スピーカから出力させる着信処理手段と
を備えたことを特徴とする携帯端末装置。
【請求項２】
前記着信処理手段は、前記着信検出手段が前記基地局からの着信信号を検出すると、前記放送信号に基づく音声を前記スピーカから出力させる
ことを特徴とする請求項１記載の携帯端末装置。
【請求項３】
前記着信処理手段は、前記着信検出手段が前記他の装置からの電子メールを受信したことを検出すると、前記放送信号に基づく音声を前記スピーカから出力させる
ことを特徴とする請求項１または２記載の携帯端末装置。
【請求項４】
予め設定された前記放送受信手段が受信する放送信号の周波数を記憶する第１の記憶手段をさらに備え、
前記着信処理手段は、前記第１の記憶手段に記憶された前記周波数の放送信号に基づく音声を前記スピーカから出力させる
ことを特徴とする請求項１乃至３の何れか１項に記載の携帯端末装置。
【請求項５】
音声信号を記憶する第２の記憶手段をさらに備え、
前記着信処理手段は、前記放送受信手段が受信する放送信号の信号強度が所定の値以上ではない場合、前記第２の記憶手段に記憶された音声信号に基づく音声を前記スピーカから出力させる
ことを特徴とする請求項１乃至４の何れか１項に記載の携帯端末装置。
【請求項６】
前記第１の記憶部は、複数の前記放送信号の周波数を記憶し、
前記着信処理手段は、前記放送受信手段が受信する１の放送信号の信号強度が所定の値以上ではない場合、前記第１の記憶手段に記憶された他の放送信号に基づく音声を前記スピーカから出力させる
ことを特徴とする請求項４記載の携帯端末装置。
【請求項７】
所定の他の装置に関する情報を記憶する第３の記憶手段をさらに備え、
前記着信処理手段は、前記着信検出手段により他の装置からの着信を検出すると、この他の装置に関する情報が前記第３の記憶手段に記憶されている場合、前記放送信号に基づく音声を前記スピーカから出力させる
ことを特徴とする請求項１記載の携帯端末装置。
【請求項８】
前記着信処理手段は、前記着信検出手段が前記基地局からの着信信号を検出すると、この着信信号が前記第３の記憶手段に記憶された他の装置からの着信信号である場合、前記放送信号に基づく音声を前記スピーカから出力させる
ことを特徴とする請求項７記載の携帯端末装置。
【請求項９】
前記着信処理手段は、前記着信検出手段が前記他の装置からの電子メールを受信したことを検出すると、前記他の装置に関する情報が前記第３の記憶手段に記憶されている場合、前記放送信号に基づく音声を前記スピーカから出力させる
ことを特徴とする請求項７記載の携帯端末装置。
【請求項１０】
音声信号を記憶する第２の記憶手段をさらに備え、
前記着信処理手段は、前記放送受信手段が受信する音声信号の信号強度が所定の値以上ではない場合、前記第２の記憶手段に記憶された音声信号に基づく音声を前記スピーカから出力させる
ことを特徴とする請求項７乃至９の何れか１項に記載の携帯端末装置。
【発明の詳細な説明】
【技術分野】
【０００１】
本発明は、携帯端末装置に関するものであり、特にラジオ放送を受信可能な携帯端末装置に関するものである。
【背景技術】
【０００２】
近年、携帯電話機、ＰＨＳ(Personal Handy-phone System)、ＰＤＡ(Personal Digital Assistant)等の携帯端末装置では、通話機能や電子メール機能等のみならず、電子カメラやＧＰＳ(Global Positioning Systems)を備えたものが登場している。また、近年では、ラジオ放送を聞くことができる携帯端末装置も開発されている（例えば、特許文献１〜３参照。）。
このような携帯端末装置では、他の携帯端末装置からの着信や電子メールの受信を検出すると、スピーカから着信音を出力させることにより、その着信や受信をユーザに知らせるようにしている。ここで、その着信音は、装置内に記憶されている着信音のデータの中から、ユーザにより予め設定されたものが出力される。
なお、出願人は、本明細書に記載した先行技術文献情報で特定される先行技術文献以外には、本発明に関連する先行技術文献を出願時までに発見するには至らなかった。
【特許文献１】特開２００２−０８４３４７号公報
【特許文献２】特開平１１−１１３０６４号公報
【特許文献３】特開平１１−２５２２２１号公報
【発明の開示】
【発明が解決しようとする課題】
【０００３】
しかしながら、従来の携帯端末装置では、予め設定した特定の着信音しか鳴動させることができなかった。したがって、毎回着信音を変更したい場合、ユーザは毎回着信音の設定を変更しなければならなかった。
そこで、本発明は上述したような課題を解決するためになされたものであり、不特定の着信音を出力可能な携帯端末装置を提供することを目的とする。
【課題を解決するための手段】
【０００４】
上述したような課題を解決するために本発明にかかる携帯端末装置は、基地局との間で無線回線を通じて各種信号の送受信を行うことにより他の装置との通信を行う携帯端末装置において、基地局を介して他の装置からの着信を検出する着信検出手段と、音声信号を含む放送信号を受信する放送受信手段と、音声信号を変換して音声を出力するスピーカと、着信検出手段により他の装置からの着信を検出すると、放送信号に基づく音声をスピーカから出力させる着信処理手段とを備えたことを特徴とする。したがって、他の装置から信号を受信すると、ラジオ放送やＴＶ放送の音声がスピーカから出力される。
【０００５】
上記携帯端末装置において、着信処理手段は、着信検出手段が基地局からの着信信号を検出すると、放送信号に基づく音声をスピーカから出力させるようにしてもよい。これにより、他の装置からの発呼が着信すると、ラジオ放送やＴＶ放送の音声がスピーカから出力される。
【０００６】
上記携帯端末装置において、着信処理手段は、着信検出手段が他の装置からの電子メールを受信したことを検出すると、放送信号に基づく音声をスピーカから出力させるようにしてもよい。これにより、他の装置から電子メールを受信すると、ラジオ放送やＴＶ放送の音声がスピーカから出力される。
【０００７】
上記携帯端末装置において、予め設定された放送受信手段が受信する放送信号の周波数を記憶する第１の記憶手段をさらに備え、着信処理手段は、第１の記憶手段に記憶された周波数の放送信号に基づく音声をスピーカから出力させるようにしてもよい。これにより、予め設定された周波数のラジオ放送やＴＶ放送等の信号に基づく音声がスピーカから出力される。
【０００８】
上記携帯端末装置において、音声信号を記憶する第２の記憶手段をさらに備え、着信処理手段は、放送受信手段が受信する音声信号の信号強度が所定の値以上ではない場合、第２の記憶手段に記憶された音声信号に基づく音声をスピーカから出力させるようにしてもよい。
【０００９】
また、上記携帯端末装置において、第１の記憶部は、複数の放送信号の周波数を記憶し、着信処理手段は、放送受信手段が受信する１の放送信号の信号強度が所定の値以上ではない場合、第１の記憶手段に記憶された他の放送信号に基づく音声をスピーカから出力させるようにしてもよい。
【００１０】
また、上記携帯端末装置において、所定の他の装置に関する情報を記憶する第３の記憶手段をさらに備え、着信処理手段は、着信検出手段により他の装置からの着信を検出すると、この他の装置に関する情報が第３の記憶手段に記憶されている場合、放送信号に基づく音声をスピーカから出力させるようにしてもよい。
【００１１】
上記携帯端末装置において、着信処理手段は、着信検出手段が基地局からの着信信号を検出すると、この着信信号が第３の記憶手段に記憶された他の装置からの着信信号である場合、放送信号に基づく音声をスピーカから出力させるようにしてもよい。
【００１２】
上記携帯端末装置において、着信処理手段は、着信検出手段が他の装置からの電子メールを受信したことを検出すると、その他の装置に関する情報が第３の記憶手段に記憶されている場合、放送信号に基づく音声をスピーカから出力させるようにしてもよい。
【００１３】
上記携帯端末装置において、音声信号を記憶する第２の記憶手段をさらに備え、着信処理手段は、放送受信手段が受信する音声信号の信号強度が所定の値以上ではない場合、第２の記憶手段に記憶された音声信号に基づく音声をスピーカから出力させるようにしてもよい。
【発明の効果】
【００１４】
本発明によれば、他の装置から信号を受信すると、放送信号に基づく音声がスピーカから出力されるので、いつも不特定な着信音を鳴動させることが可能となる。
また、本発明によれば、所定の信号強度以上の放送信号を受信できない場合に第２の記憶手段に記憶された音声信号に基づく音声がスピーカから出力されるので、ラジオ放送やＴＶ放送を受信できないときでも着信音を鳴動させることが可能となる。
【発明を実施するための最良の形態】
【００１５】
［第１の実施の形態］
以下、図面を参照して、本発明の第１の実施の形態について詳細に説明する。
図１は、本実施の形態にかかる携帯電話機の構成を示すブロック図である。本実施の形態にかかる携帯電話機１は、ＣＰＵ（中央処理演算装置）１０と、記憶部２０と、ラジオ受信部３０と、着信処理部４０と、スピーカ５０と、マイク６０と、入力部７０と、表示制御部８０と、送受信部９０とを備えており、これらの構成要素がバス１００により接続されている。
【００１６】
ＣＰＵ１０は、携帯電話機１の各構成要素を制御してそれらの構成要素から各種データを受け取り、このデータを後述する記憶部２０に格納されたプログラム２１に基づいて演算・加工し、この結果を記憶部２０または上記各構成要素に出力する。このようにハードウェア資源とソフトウェア資源が協働することにより、着信検出、通話機能、電子メール機能などの携帯電話機１の各種機能を実現する。
【００１７】
記憶部２０は、ＲＯＭ(Read Only Memory)及びＲＡＭ(Random Access Memory)等の公知の記憶装置から構成され、通話機能、電子メール機能及び着信音設定機能等の携帯電話機１の各種機能を実現するためのプログラム２１と、他の携帯端末装置からの発呼の着信や電子メールの受信をユーザに知らせるためにスピーカ５０から出力させる着信音に関するデータである着信音データ２２と、各ラジオ放送局の周波数に関する放送局データ２３と、他の携帯端末装置からの発呼の着信や電子メールの受信の際にスピーカ５０から出力させる予め設定された着信音に関するデータである設定データ２４とを少なくとも記憶する。ここで、着信音データ２２は、複数の着信音を含むようにしてもよい。また、着信音データ２２に格納される着信音は、送受信部９０を介して外部よりダウンロードするようにしてもよい。
【００１８】
設定データ２４は、スピーカ５０から出力させる着信音がラジオ放送または着信音データ２２に記憶された着信音の何れかに関する種類情報と、出力させる着信音がラジオ放送の場合にそのラジオ放送の周波数に関する周波数情報と、出力させる着信音が着信音データ２２に記憶された着信音の場合にその着信音データ２２に含まれる何れの着信音かに関する着信音情報と、ラジオ放送の信号強度が所定値より小さい場合に出力させる着信音データ２２に記憶された着信音に関する予備情報とを少なくとも有する。
これらの情報を含む設定データ２４は、入力部７０を介してユーザにより設定される。具体的には、種類情報は、着信音をラジオ放送または着信音データ２２の着信音のどちらか一方を選択することにより設定される。周波数情報は、着信音をラジオ放送に選択した場合、放送局データ２３を参照して所望する放送局を選択する、または、マニュアル入力で周波数を入力することにより設定される。着信音情報は、着信音データ２２に含まれる着信音の中からユーザが所望する着信音を選択することにより設定される。予備情報は、着信音データ２２の中から所望する着信音を選択することにより設定される。
【００１９】
ラジオ受信部３０は、ＡＭ放送及びＦＭ放送等のラジオ放送並びに地上波放送及びＢＳ(Broadcasting Satellite)放送等のＴＶ放送の音声信号などを受信する回路部である。このラジオ受信部３０は、受信する信号の強度も測定しており、この情報を着信処理部４０に送信する。
このようなラジオ受信部３０は、必要に応じてアンテナを設けるようにしてもよい。これにより、各種信号をより感度よく受信することが可能となる。
【００２０】
着信処理部４０は、携帯端末装置等の外部からの着信や電子メールの受信などの着信を検出した際に記憶部２０に記憶された設定データ２４に基づいてスピーカ５０から出力させる着信音の設定、外部からの着信の検出、外部からの着信に対する応答などを含む着信処理を行う。
【００２１】
スピーカ５０は、公知のスピーカからなり、他の携帯端末装置から受信する音声信号、記憶部２０に格納された着信音データ２２及びラジオ受信部３０が受信した音声信号等の各種信号を音声変換することより、各種放送や着信音を出力する。
マイク６０は、ユーザから発せられた音声等を受信し、音声信号に変換する。
【００２２】
入力部７０は、キー、ボタン、ジョグシャトル等の公知の入力装置からなる入力キー７１のユーザによる操作入力を検出する。
表示制御部８０は、ＬＥＤ(Liquid Crystal Display)や有機ＥＬ(Electro Luminescence)等の公知の表示装置からなる表示部８１の表示を制御する制御回路部である。
送受信部９０は、無線回線を介して基地局と通信を行い、発信、着信、音声、データなどの各種信号の送受信を行う。前述したようにこれらの信号をＣＰＵ１０がソフトウェアにしたがって処理することにより、携帯端末装置、固定電話機、計算機等の外部装置との通話や電子メールの送受信を行うことができる。
ここで、基地局は電話網やインターネット等の各種通信回線で他の基地局と接続されており、本実施の形態にかかる携帯電話機１が無線回線を介して通信を行う基地局と外部装置と通信を行う基地局との間で各種信号の送受信を行うことにより、携帯電話機１と外部装置との通話やデータ通信が実現される。
【００２３】
次に、図２を参照して、本実施の形態にかかる携帯電話機の着信処理について説明する。図２は、本実施の形態にかかる携帯電話機の着信処理を示すフローチャートである。
まず、送受信部９０が基地局から受信した信号をＣＰＵ１０において解析することによって、外部装置からの着信または電子メールの受信等の着信を検出すると（ステップＳ２０１）、着信処理部４０は、設定データ２４を参照して、着信音がラジオ放送に設定されているか否か検出する（ステップＳ２０２）。
【００２４】
着信音がラジオ放送に設定されている場合（ステップＳ２０２：ＹＥＳ）、着信処理部４０は、設定データ２４の周波数情報から着信音として設定されたラジオ放送の信号の周波数を検出し、この周波数の信号の強度が所定値以上か否か、ラジオ受信部３０を参照して確認する（ステップＳ２０３）。
一方、着信音がラジオ放送に設定されていない場合（ステップＳ２０２：ＮＯ）、着信処理部４０は、設定データ２４の着信音情報から設定された着信音データ２２の中の着信音を検出し、この着信音をスピーカ５０から出力させる（ステップＳ２０６）。
【００２５】
設定された周波数の信号の強度が所定値以上の場合（ステップＳ２０３：ＹＥＳ）、着信処理部４０は、その周波数の信号をスピーカ５０から出力させる（ステップＳ２０４）。
一方、設定された周波数の信号の強度が所定値以上ではない場合（ステップＳ２０３：ＮＯ）、着信処理部４０は、設定データ２４の予備情報から設定された着信音データ２２の中の着信音を検出し、この着信音をスピーカ５０から出力させる（ステップＳ２０６）。
【００２６】
着信音がスピーカ５０から出力されると、表示制御部８０は、外部からの着信または電子メールの受信等の着信を検出した旨を表示部８１に表示させる（ステップＳ２０５）。なお、この表示は、着信音の出力とともに、または、着信音の出力前に行うようにしてもよい。
表示部８１に着信を検出した旨を表示すると、着信処理部４０は、ユーザによるオフフックによる着信応答や留守番電話機能などの着信応答処理を行う。
【００２７】
このように、本実施の形態によれば、ラジオ放送を着信音に設定することにより、いつも不特定の着信音を鳴動させることが可能となるので、着信音を毎回変更したい場合にその都度設定を変更する手間が省けるので、とても使い勝手がよい。
また、本実施の形態によれば、着信音を毎回変更するために着信音のデータを多数記憶部２０に記憶する必要がないので、記憶部２０の着信音を記憶する容量を増やす必要がない。
さらに、本実施の形態によれば、受信するラジオ放送の信号の強度が小さい場合は記憶部２０に予め記憶されている着信音を鳴動させることにより、ラジオ放送を受信できない場合でも着信音を鳴動させることができる。
【００２８】
なお、本実施の形態では、携帯端末装置として携帯電話機を例に説明したが、発呼に対する着信やメールの受信等を知らせるための着信音を鳴動させる機能とラジオを受信する機能とを有する装置であるならば携帯電話機に限定されず、ＰＨＳやＰＤＡなどの各種携帯端末装置に適用することができる。
【００２９】
また、本実施の形態では、設定データ２４の種類情報に着信音としてラジオ放送を鳴動させる旨が設定されている場合にラジオ放送を鳴動させるようにしているが、予め指定した相手装置または予め指定した特定のグループに含まれる相手装置からの発呼の着信や電子メールの受信の際に、ラジオ放送を鳴動させるようにしてもよい。これにより、特定の相手装置から発呼が着信したりメールを受信した場合にのみ、不特定な着信音を鳴動させることが可能となる。
【００３０】
さらに、本実施の形態では、設定データ２４の周波数情報に基づいて予め設定された周波数の信号が鳴動するようにしているが、放送局データ２３に記憶されている各放送局をランダムに選択して鳴動させるようにしてもよい。これにより、より不特定な着信音を鳴動させることが可能となる。
【００３１】
［第２の実施の形態］
次に、本発明の第２の実施の形態について説明する。なお、本実施の形態において、上述した第１の実施の形態と同等の構成要素については、同じ名称および符号を付し、適宜説明を省略する。
【００３２】
本実施の形態において、設定データ２４の周波数情報には、ラジオ放送の周波数を複数設定することが可能である。
【００３３】
次に、図３を参照して、本実施の形態にかかる携帯電話機の着信処理について説明する。図２は、本実施の形態にかかる携帯電話機の着信処理を示すフローチャートである。
まず、送受信部９０が基地局から受信した信号をＣＰＵ１０において解析することによって、外部装置からの着信または電子メールの受信等の着信を検出すると（ステップＳ３０１）、着信処理部４０は、設定データ２４を参照して、着信音がラジオ放送に設定されているか否か検出する（ステップＳ３０２）。
【００３４】
着信音がラジオ放送に設定されている場合（ステップＳ３０２：ＹＥＳ）、着信処理部４０は、設定データ２４の周波数情報から着信音として設定されたラジオ放送の信号の周波数を検出し、この周波数の信号の強度が所定値以上か否か、ラジオ受信部３０を参照して確認する（ステップＳ３０３）。
一方、着信音がラジオ放送に設定されていない場合（ステップＳ３０２：ＮＯ）、着信処理部４０は、設定データ２４の着信音情報から設定された着信音データ２２の中の着信音を検出し、この着信音をスピーカ５０から出力させる（ステップＳ３０６）。
【００３５】
設定された周波数の信号の強度が所定値以上の場合（ステップＳ３０３：ＹＥＳ）、着信処理部４０は、その周波数の信号をスピーカ５０から出力させる（ステップＳ３０４）。
一方、設定された周波数の信号の強度が所定値以上ではない場合（ステップＳ３０３：ＮＯ）、着信処理部４０は、設定データ２４の周波数情報から、着信音として設定された他のラジオ放送局の信号の周波数を検出し、この周波数の信号をスピーカ５０から出力させる（ステップＳ３０７）。
【００３６】
着信音がスピーカ５０から出力されると、表示制御部８０は、外部からの着信または電子メールの受信等の着信を検出した旨を表示部８１に表示させる（ステップＳ３０５）。なお、この表示は、着信音の出力とともに、または、着信音の出力前に行うようにしてもよい。
表示部８１に着信を検出した旨を表示すると、着信処理部４０は、ユーザによるオフフックによる着信応答や留守番電話機能などの着信応答処理を行う。
【００３７】
このように、本実施の形態によれば、予め設定しておいたラジオ放送の信号の強度が弱い場合、他のラジオ放送を鳴動させることが可能となる。
【００３８】
なお、本実施の形態において、ステップＳ３０７においてラジオ放送の周波数を変更した場合、再度ステップＳ３０３に戻り、変更した周波数の信号の強度を確認するようにしてもよい。これにより、確実にラジオ放送を鳴動させることが可能となる。
【００３９】
［第３の実施の形態］
次に、本発明の第３の実施の形態について説明する。図３は、本実施の形態にかかる携帯電話機の構成を示すブロック図である。なお、本実施の形態は、上述した第１の実施の形態の記憶部２０に相手装置データ２５を追加したものである。よって、第１の実施の形態と同等の構成要素については同じ名称および符号を付し、適宜説明を省略する。
【００４０】
記憶部２０は、プログラム２１と、着信音データ２２と、放送局データ２３と、設定データ２４と、相手装置データ２５とを有する。
【００４１】
相手装置データ２５は、予め指定した相手装置の電話番号、電子メールアドレス、ＩＰアドレスなどに関するデータである。ここで、相手装置の各データは、単独または複数の相手装置のグループ単位で記憶するようにしてもよい。相手装置としては、固定電話装置、携帯端末装置、計算機など通話または電子メールの送受信の少なくとも一方が行える装置であれば、各種装置を適用することができる。
【００４２】
相手装置データ２５は、入力部７０を介してユーザの操作入力により設定することができる。なお、相手装置データ２５としては、相手装置に予め記憶されている公知の電話帳またはアドレス帳を用いるようにしてもよい。
【００４３】
次に、図４を参照して、本実施の形態にかかる携帯電話機の着信処理について説明する。図４は、本実施の形態にかかる携帯電話機の着信処理を示すフローチャートである。
【００４４】
まず、送受信部９０が基地局から受信した信号をＣＰＵ１０において解析することによって、固定電話装置、携帯端末装置、計算機などの外部装置（相手装置）からの着信または電子メールの受信等の着信を検出すると（ステップＳ５０１）、着信処理部４０は、相手装置データ２５を参照して、その相手装置が相手装置データ２５に登録されているか否か検出する（ステップＳ５０２）。
【００４５】
例えば、着信を検出した場合、着信処理部４０は、着呼した相手装置の電話番号やＩＰアドレスなどに関する情報と、相手装置データ２５に登録されている電話番号やＩＰアドレスなどに関する情報とを比較することにより、その相手装置が相手装置データ２５に登録されているか否かを検出する。また、電子メールを受信した場合、着信処理部４０は、受信した電子メールを送信した相手装置の電子メールアドレスやＩＰアドレスなどに関する情報と、相手装置データ２５に登録されている電子メールアドレスやＩＰアドレスなどに関する情報とを比較することにより、その相手装置が相手装置データ２５に登録されているか否かを検出する。
【００４６】
着信を検出した相手装置が相手装置データ２５に登録されている場合（ステップＳ５０２：ＹＥＳ）、着信処理部４０は、設定データ２４の周波数情報から着信音として設定されたラジオ放送の周波数を取得し、この周波数の信号の強度が所定値以上か否か、ラジオ受信部３０を参照して確認する（ステップＳ５０３）。
一方、着信を検出した相手装置が相手装置データ２５に登録されていない場合（ステップＳ５０２：ＮＯ）、着信処理部４０は、設定データ２４の着信音情報から設定された着信音データ２２の中の着信音を取得し、この着信音をスピーカ５０から出力させる（ステップＳ５０６）。
【００４７】
取得した周波数の信号の強度が所定値以上の場合（ステップＳ５０３：ＹＥＳ）、着信処理部４０は、その周波数の信号を着信音としてスピーカ５０から出力させる（ステップＳ５０４）。
一方、取得した周波数の信号の強度が所定値以上ではない場合（ステップＳ５０３：ＮＯ）、着信処理部４０は、設定データ２４の着信音情報から設定された着信音データ２２の中の着信音を取得し、この着信音をスピーカ５０から出力させる（ステップＳ５０６）。なお、着信処理部４０は、設定データ２４の予備情報から設定された着信音データ２２の中の着信音を検出し、この着信音をスピーカ５０から出力させるようにしてもよい。
【００４８】
着信音がスピーカ５０から出力されると、表示制御部８０は、外部からの着信または電子メールの受信等の着信を検出した旨を表示部８１に表示させる（ステップＳ５０５）。なお、この表示は、着信音の出力とともに、または、着信音の出力前に行うようにしてもよい。
表示部８１に着信を検出した旨を表示すると、着信処理部４０は、ユーザによるオフフックによる着信応答や留守番電話機能などの着信応答処理を行う。
【００４９】
このように、本実施の形態によれば、予め設定した相手装置または予め指定したグループに属する相手装置からの着信や電子メールを受信した場合のみラジオ放送を出力させることにより、いつも不特定の着信音を鳴動させることが可能となるので、着信音を毎回変更したい場合にその都度設定を変更する手間が省けるので、とても使い勝手がよい。
【００５０】
なお、設定データ２４は、相手装置データ２５に登録された相手装置毎に設定するようにしてもよい。これにより、相手装置データ２５に予め登録しておいた相手装置毎に異なるラジオ放送局や着信音を出力することが可能となる。
【００５１】
また、第１〜３の実施の形態において、設定データ２４の周波数情報に基づいて予め設定された周波数のラジオ放送が出力されるようにしたが、放送局データ２３に記憶されている各放送局をランダムに選択して出力するようにしてもよい。これにより、より不特定の着信音を鳴動させることが可能となる。
【図面の簡単な説明】
【００５２】
【図１】本発明の第１の実施の形態にかかる携帯電話機の構成を示すブロック図である。
【図２】本発明の第１の実施の形態にかかる携帯電話機の着信処理を示すフローチャートである。
【図３】本発明の第２の実施の形態にかかる携帯電話機の着信処理を示すフローチャートである。
【図４】本発明の第３の実施の形態にかかる携帯電話機の構成を示すブロック図である。
【図５】本発明の第３の実施の形態にかかる携帯電話機の着信処理を示すフローチャートである。
【符号の説明】
【００５３】
１…携帯電話機、１０…ＣＰＵ、２０…記憶部、２１…プログラム、２２…着信音データ、２３…放送局データ、２４…設定データ、２５…相手装置データ、３０…ラジオ受信部、４０…着信処理部、５０…スピーカ、６０…マイク、７０…入力部、７１…入力キー、８０…表示制御部、８１…表示部、９０…送受信部、１００…バス。
【図１】
2005287014.tif 000003
【図２】
2005287014.tif 000004
【図３】
2005287014.tif 000005
【図４】
2005287014.tif 000006
【図５】
2005287014.tif 000007